(57)【要約】      （修正有）【課題】重量物を吊り下げることができるフック部材を備えたマグネットを用いた場合であっても、取り外しが容易な化粧板を提供する。【解決手段】ホルダー本体３の裏面中間部に、被着面に対して接着力を有するマグネットを設け、ホルダー本体３表面７の右端部８及び下端部９及び左端部１０に至る周端部１１には、操作杆本体１２を収納する凹状収納部１３を有し、ホルダー本体３裏面の右端部中央部１４及び折曲部１５並び左端部中央部及び折曲部には収納部１３を貫通する操作穴１８を有し、ホルダー本体３の右端部中央部１４及び左端部中央部にはそれぞれ凹状収納部１３に連続して対向して延びる凹状補助収納部１９を有し、操作杆本体１２の右端先端部２０及び左端先端部２１には対向して延びる折曲杆２２、２３を有し、補助収納部１９には前記操作杆本体１２から連続して延びる補助杆２４、２５を有し、補助収納部１９の開放部２６、２７には蓋体２８、２９が設けられている。【選択図】図２
0003211578.tif 000002
【実用新案登録請求の範囲】
【請求項１】
ホルダー本体の裏面中間部に、被着面に対して接着力を有するマグネットを設け、前記ホルダー本体表面の右端部及び下端部及び左端部に至る周端縁部には、操作杆本体を収納する凹状の収納部を有し、前記ホルダー本体裏面の右端部中央部及び折曲部並び左端部中央部及び折曲部には前記収納部を貫通する操作穴を有し、前記ホルダー本体の右端部中央部及び左端部中央部にはそれぞれ前記凹状収納部に連続して対向して延びる凹状の補助収納部を有し、
前記操作杆本体の右端先端部及び左端先端部には対向して延びる折曲杆を有し、前記補助収納部には前記操作杆本体から連続して延びる補助杆を有し、補助収納部の開放部には蓋体が設けられている、ことを特徴とする
化粧板。
【請求項２】
ホルダー本体の表面中間部に、重量物を吊り下げることができるフック部材を螺合する移動ナットをガイドレール上に案内可能に取り付けた請求項１記載の化粧板。
【請求項３】
操作杆を持ち上げた状態で位置決めするボールを配し、当該ボールは、操作杆を持ち上げた状態で位置決めするボール穴に閉じ込められた請求項２記載の化粧板。
【請求項４】
ホルダー本体の下端部に、指入れ穴部を設け、指入れ穴部がホルター本体下端部を貫通する請求項３記載の化粧板。
【考案の詳細な説明】
【技術分野】
【０００１】
本考案は、化粧板に関し、さらに詳細には例えばパーティション等の間仕切りの化粧板として用いられ、強い接着力を発揮するマグネットを用いてもその取り外しの負担を大幅に軽減できる化粧板に関する。
【背景技術】
【０００２】
従来、強い接着力を発揮するマグネットが例えば間仕切りの化粧板に用いられていた(特許文献１)。  
【先行技術文献】
【特許文献】
【０００３】
【特許文献１】特開２００６−１３３６７５すなわち、被着面Ｓに接着するマグネットＭを保持するホルダー本体１１と、ホルダー本体１１と被着面Ｓとの間に位置する中間部材１２と、この中間部材に押圧力を付与する操作部材１３とを備える。操作部材１３はホルダー本体１１に回転可能に設けられており、この回転によって中間部材に押圧力を付与してホルダー本体を角度変位可能とし、この角度変位に伴うマグネットＭと被着面Ｓとの接触領域の減少により、マグネットホルダー１０の取り外しを行えるようになっている。
【０００４】
しかしこのマグネットホルダーは、マグネットＭと被着面Ｓとの接触領域の減少によりマグネットホルダーの取り外しを行うため、さらに強い接着力を発揮するマグネットでは十分対応できず、特に重量物を吊り下げることができるフック部材を備えたタイプの場合には、極めて強い磁気接着力を有するマグネットを用いる必要があるため、化粧板を被着面から取り外す場合において予想を超えて操作負担が極めて大きいものとなる。
【考案の概要】
【考案が解決しようとする課題】
【０００５】
この考案の目的とするところは、重量物を吊り下げることができるフック部材を備えたマグネットを用いた場合であっても、取り外しが容易な化粧板を提供するところにある。
【課題を解決するための手段】
【０００６】
本考案の化粧板は、
ホルダー本体の裏面中間部に、被着面に対して接着力を有するマグネットを設け、前記ホルダー本体表面の右端部及び下端部及び左端部に至る周端縁部には、操作杆本体を収納する凹状の収納部を有し、前記ホルダー本体裏面の右端部中央部及び折曲部並び左端中央部及び折曲部には前記収納部を貫通する操作穴を有し、前記ホルダー本体の右端部中央部及び左端部中央部にはそれぞれ前記凹状収納部に連続して対向して延びる凹状の補助収納部を有し、
前記操作杆本体の右端先端部及び左端先端部には対向して延びる折曲杆を有し、前記補助収納部には前記操作杆本体から連続して延びる補助杆を有し、補助収納部の開放部には蓋体が設けられていることを特徴とする。
【考案の効果】
【０００７】
本考案の化粧板は、前記構成によって、マグネットの接着力に対して、操作杆を持ち上げて、補助杆を回転させつつ、貫通する操作穴に前記操作杆本体の右端部中央部及び折曲部並びに左端部中央部及び折曲部を嵌め入れることができることから、前記操作杆本体をマグネット磁力の縁切ハンドルとして、梃子の原理を最大限発揮することができる。
【図面の簡単な説明】
【０００８】
【図１】図１は本考案に係る化粧板を示す正面図である。
【図２】図２は本考案に係る化粧板のカバーを取り去った状態を示す正面図（ａ）及びカバーの正面図（ｂ）である。
【図３】図３は本考案に係る化粧板の操作杆を持ち上げた状態を示す斜視図である。
【図４】図４は図３の右側部分を示す要部拡大斜視図である。
【図５】図５は図３の中央部分を示す要部拡大斜視図である。
【図６】図６は図２（ａ）の裏面図である。
【図７】図７は本化粧板の下端部に設けた指入れ穴部を示す要部拡大斜視図である。
【図８】図８（ａ）はホルダー本体の表面中間部に、重量物を吊り下げることができるフック部材を螺合する移動ナットの一例を示す図であり、図８（ｂ）は移動ナットガイドレールを示す要部拡大断面図である。
【図９】図９（ａ）はボール穴を穴底面に形成し、その穴にボールを嵌め入れ、穴のエッジを大きくして段差乗り上げ突起とした構造の底面、図９（ｂ）は図９（ａ）の要部拡大断面図である。
【考案を実施するための形態】
【０００９】
以下、図面を用いて、本考案に係る容器の実施の形態を説明する。図１は本考案に係る化粧板を示す正面図である。図２は本考案に係る化粧板のカバーを取り去った状態を示す正面図（ａ）及びカバーの正面図（ｂ）である。
【００１０】
図１及び図２（ａ）（ｂ）において、１は化粧板であり、２は化粧板１のカバーであり、３は化粧板１のカバー２を取り去った状態を示すホルダー本体である。Ａは金属製の被着面である。このホルダー本体３の裏面４中間部５には、図６に示す様に、裏面４中間部５に金属製の被着面Ａに対して接着力を有する一組のマグネット６、６が備えられている。
【００１１】
図２（ａ）に示す様に、前記ホルダー本体３表面７の右端部８及び下端部９及び左端部１０に至る周端部１１には、操作杆本体１２を収納する凹状収納部１３を有している。一方、図６に示す様に、前記ホルダー本体３裏面４の右端部中央部１４及び折曲部１５並び左端中央部１６及び折曲部１７には前記収納部１３を貫通する操作穴１８を有している。
またホルダー本体３の右端部中央部１４及び左端部中央部１５にはそれぞれ前記凹状収納部１３に連続して対向して延びる一組の凹状補助収納部１９、１９を有している。
【００１２】
前記操作杆本体１２の右端先端部２０及び左端先端部２１には対向して延びる折曲杆２２、２３を有し、前記補助収納部１９、１９には前記操作杆本体１２から連続して延びる補助杆２４、２５を有し、図４に示す様に補助収納部１９、１９の開放部２６、２７には蓋体２８、２９が設けられている。
なお、３０はホルダー本体３の下端部９に設けられた凹状指入れ穴部である。
【００１３】
従って、本考案の化粧板は、図３に示す様に、マグネットの接着力に対して、凹状指入れ穴部３０に指を入れて、操作杆本体１２を持ち上げると、操作杆本体１２は凹状補助収納部１９、１９を軸にして補助杆２４、２５で回転することができ、操作穴１８に折曲杆２２、２３が飛び出して被接着面にあたり、それよりも操作杆本体１２を持ち上げると、ホルダー本体３が被接着面より離間していく。
【００１４】
因って、本考案の化粧板は、前記構成によって、マグネットの接着力に対して、操作杆本体を持ち上げて、補助杆を回転させつつ、貫通する操作穴に前記操作杆本体の右端部中央部及び折曲部並びに左端部中央部及び折曲部を嵌め入れることができることから、梃子の原理を最大限発揮することができる。従って、たとえ重量物を吊り下げることができるフック部材を備えたマグネットを用いた場合であっても、取り外しが容易な化粧板を提供することができる。
【００１５】
ところで本考案は上記の実施態様に限定されない。
本実施形態では、好ましくは、図１及び図２（ａ）に示す様に、例えば重量物を取り付ける場合、ホルダー本体３の表面７中間部３１にフック部材を螺合する案内板３２、３３を縦方向にスライド可能に取り付けることが含まれる。例えば図８（a）はホルダー本体の表面中間部３１に、重量物を吊り下げることができるフック部材を螺合する移動ナット３４の一例を示す図であり、図８（ｂ）は移動ナット３４のガイドレール３５を示す要部拡大断面図である。図８（ｂ）は図２においてＸ−Ｘ線要部拡大断面図である。
【００１６】
また本化粧板１は、パーティションに取り付けた状態で取り外すことから、図３に示す様に、操作杆本体１２を持ち上げる際には、補助杆２４、２５を軸にして回転する。従って、操作杆本体１２は操作杆本体１２を持ち上げた状態で操作杆本体１２の裾で位置決めできるようにボールを配するようにすることが好ましい。また当該ボール３８は、図９（ａ）に示す様に、操作杆本体１２を持ち上げた状態で位置決めするボール穴３６に閉じ込められるようにすることが好ましい。例えば図９（ｂ）に示す様に、ボール穴３６を穴底面３７に形成し、その穴３６にボール３８を嵌め入れ、しかも穴３６のエッジ３９を大きくして段差乗り上げ突起とした構造の底面で構成されたものがよい。
【００１７】
またホルダー本体３の下端部９に、指入れ穴部３０を設けることが望ましい。またホルダー本体３の下端部９に指入れ穴部３０を設け、指入れ穴部３０がホルター本体３下端部９を貫通していることが望ましい。貫通により操作杆本体１２を指で捕まり易いからである。
【符号の説明】
【００１８】
１            化粧板
３            ホルダー本体
４            裏面
５            中間部
６            マグネット
７            表面
８            右端部
９            下端部
１０          左端部
１１          周端部
１２          操作杆本体
１３          収納部
１４          右端部中央部
１５          折曲部
１６          左端部中央部
１７          折曲部
１８          操作穴
１９          補助収納部
２０          右端先端部
２１          左端先端部
２２          折曲杆
２３          折曲杆
２４          補助杆  
２５          補助杆
２６          開放部
２７          開放部
２８          蓋体
２９          蓋体
３０          指入れ穴部
３１          表面中間部
３２          案内板
３３          案内板
３４          移動ナット
３５          ガイドレール
３６          穴
３７          穴底面
３８          ボール
３９          エッジ
【図１】
0003211578.tif 000003
【図２】
0003211578.tif 000004
【図３】
0003211578.tif 000005
【図４】
0003211578.tif 000006
【図５】
0003211578.tif 000007
【図６】
0003211578.tif 000008
【図７】
0003211578.tif 000009
【図８】
0003211578.tif 000010
【図９】
0003211578.tif 000011